(57)【要約】  本発明は、少なくとも１つのＬＥＤ光源１０３と、ＬＥＤ光源１０３に電力を供給する少なくとも１つのドライバ１０１と、ドライバ１０１に電力を供給する、本線からのＡＣ電流をＤＣ電流に変換するための複数のダイオードを備える少なくとも１つの入力整流器とを有するＬＥＤランプ１０であって、ＬＥＤランプ１０は、更に、前記ＥＭバラストの過熱及び過電流に対する保護のための１つの第１のモジュールＦ１及び１つの第２のモジュールＦ２を有する安全モジュールを更に有し、第１のモジュールＦ１は、ドライバ１０１と直列に置かれていると共に、ＬＥＤランプ１０が本線に直接的に接続されているときに前記ドライバが故障した場合に電流を遮断するように設計されており、第２のモジュールＦ２は、ＬＥＤランプ１０がＥＭバラストを介して前記本線に接続されているときに前記入力整流器の前記ダイオードの少なくとも１つが故障した場合に電流を遮断するように設計されているＬＥＤランプ１０に関する。
2016526248.tif 000002
【特許請求の範囲】
【請求項１】
少なくとも１つの発光ダイオード（ＬＥＤ）光源と、
必要な駆動電流によって前記ＬＥＤ光源に電力を供給するための少なくとも１つのドライバと、
前記ドライバに電力に供給する、本線からのＡＣ電流をＤＣ電流に変換する複数のダイオードを備える少なくとも１つの入力整流器と、
を有するＬＥＤランプであって、
前記ＬＥＤランプは、過電流に対する保護のための１つの第１のモジュール及び１つの第２のモジュールを有する安全モジュールを更に有し、
前記第１のモジュールは、前記ドライバと直列に置かれると共に、前記ＬＥＤランプが前記本線に直接的に接続されているときに前記ドライバが故障した場合に電流を遮断するように設計されており、前記第２のモジュールは、前記ＬＥＤランプがＥＭバラストを介して前記本線に接続されているときに前記入力整流器の前記ダイオードの少なくとも１つが故障した場合に電流を遮断するように設計されていることを特徴とする、
ＬＥＤランプ。
【請求項２】
前記保護モジュールの各々はヒューズを有する、請求項１に記載のＬＥＤランプ。
【請求項３】
前記保護モジュールに各々は電流ブレーカを有する、請求項１に記載のＬＥＤランプ。
【請求項４】
前記保護モジュールの各々は再結線可能なヒューズを有する、請求項１に記載のＬＥＤランプ。
【請求項５】
過電流に対する保護のための前記第２のモジュールの定格電流は、過電流に対する保護のための前記第１のモジュールの定格電流よりも低い、請求項１乃至４の何れか一項に記載のＬＥＤランプ。
【請求項６】
過電流に対する保護のための前記第２のモジュールの定格電流は、過電流に対する保護のための前記第１のモジュールの定格電流よりも少なくとも２０％低い、請求項５に記載のＬＥＤランプ。
【請求項７】
過電流に対する保護のための前記第２のモジュールの前記定格電流は２００ｍＡと５００ｍＡとの間に含まれている、請求項６に記載のＬＥＤランプ。
【請求項８】
過電流に対する保護のための前記第２のモジュールの前記定格電流は、２５０ｍＡと３００ｍＡとの間に含まれる、請求項７に記載のＬＥＤランプ。
【請求項９】
前記ＬＥＤランプは端部キャップを有するＬＥＤ管であり、過電流に対する保護のための前記第２のモジュールは、前記端部キャップ内に位置されている、請求項１乃至８の何れか一項に記載のＬＥＤランプ。
【請求項１０】
ドライバと、前記ドライバに電力に供給する、本線からのＡＣ電流をＤＣ電流に変換するための複数のダイオードを備える少なくとも１つの入力整流器とを有するＬＥＤランプのための安全モジュールであって、前記ＥＭバラストの過熱及び過電流に対する保護のための１つの第１のモジュール及び１つの第２のモジュールを有する安全モジュールにおいて、
前記第１のモジュールは、前記ドライバと直列に置かれると共に、前記ＬＥＤランプが前記本線に直接的に接続されているときに前記ドライバが故障した場合に電流を遮断するように設計されており、前記第２のモジュールは、前記ＬＥＤランプがＥＭバラストを介して前記本線に接続されているときに前記入力整流器の前記ダイオードの少なくとも１つが故障した場合に電流を遮断するように設計されていることを特徴とする、安全モジュール。
【請求項１１】
ＬＥＤランプを保護するための方法であって、ドライバと、本線からのＡＣ電流をＤＣ電流に変換するように複数のダイオードを備える少なくとも１つの入力整流器とを有するＬＥＤランプを保護する方法であって、前記ＥＭバラストの過熱及び過電流に対する保護のための１つの第１のモジュール及び１つの第２のモジュールを設けるステップを少なくとも有する方法において、
前記第１のモジュールは、前記ドライバに直列に置かれると共に、前記ＬＥＤランプが前記本線に直接的に接続されているときに前記ドライバが故障した場合に電流を遮断するように設計されており、前記第２のモジュールは、、前記ＬＥＤランプがＥＭバラストを介して前記本線に接続されているときに前記入力整流器の前記ダイオードの少なくとも１つが故障した場合に電流を遮断するように設計されていることを特徴とする、方法。
【発明の詳細な説明】
【技術分野】
【０００１】
本発明は、様々なバラスト上での安全な動作のための安全モジュールを有する発光ダイオード（ＬＥＤ）ランプに向けられているものである。より詳細には、本願明細書に開示される様々な本発明の装置は、バラスト及び特に電磁（ＥＭ）バラストを有する様々な照明器具への互換性があるようなレトロフィットであることができるＬＥＤランプに関する。
【背景技術】
【０００２】
Ｔ８又はＴ１２として指定される種類の管及び付随する電磁（ＥＭ）バラストのような、取り付けられた蛍光灯を備える多数の照明器具を備えている工場、店舗、倉庫及びオフィスビルのような、多くの商業的、産業的及び小売店の環境が、存在する。
【０００３】
ＬＥＤベースの照明器具は、蛍光灯のための有利な置換えの解決案であるという傾向にある。ＬＥＤベースの管は、一般的に「ＬＥＤ管」又は頭字語「ＴＬＥＤ」と称されている。様々な既存のＬＥＤ管は、今日これらの殆どが本線入力により供給されるように設計されており、このようなＬＥＤ管が「本線互換性あり」として共通に指定されている。
【発明の概要】
【発明が解決しようとする課題】
【０００４】
ＬＥＤ管の設計における本線挑戦のうちの１つは、様々な既存のバラストに対してフェイルセーフである製品を作ることにある。今日利用可能な本線互換性を持つＬＥＤ管は、ＥＭバラストに対して十分には安全ではない。このようなＬＥＤ管は、典型的には、ダイオードブリッジを含む入力整流器を有している。しかしながら、前記ダイオードブリッジのダイオードの何れかが故障することが発生した場合、直接的な電流（direct current）が前記ＥＭバラストを流れ、当該ランプの入力ヒューズがこのような故障条件の下で飛ばない場合、前記ＥＭバラストは過熱の危険にさらされることになる。
【０００５】
本発明の１つの目的は、安全性、特にＥＭバラスト上で使用されるＬＥＤドライバ又はＬＥＤ管の安全性を改善するための技術的な解決策を提供することによって、上述した安全問題を解決することにある。
【課題を解決するための手段】
【０００６】
本発明によれば、ドライバを有するＬＥＤランプが過電流に対する保護のための２つのモジュールを更に有し、第１のモジュールは、前記ＬＥＤドライバが前記本線に直接的に接続される場合に電流を遮断するように設計されており、第２のモジュールは、前記ドライバに含まれる入力整流器が故障した場合に電流を遮断するように設計されていることが提案される。
【０００７】
このために、本発明は、ＬＥＤランプであって、
少なくとも１つのＬＥＤ光源と、
必要な駆動電流を前記ＬＥＤ光源に給電する少なくとも１つのドライバと、
前記ドライバに電力に供給する、本線からのＡＣ電流をＤＣ電流に変換するための複数のダイオードを備える少なくとも１つの入力整流器と、
を有するＬＥＤランプにおいて、前記ＬＥＤランプは、過電流からの保護するための１つの第１のモジュール及び１つの第２のモジュールを有する安全モジュールを更に有し、
前記第１のモジュールは前記ドライバと直列に置かれていると共に、前記ＬＥＤランプが前記本線に直接的に接続されているときに前記ドライバが故障した場合に電流を遮断するように設計されており、前記第２のモジュールは、前記ＬＥＤランプがＥＭバラストを介して前記本線に接続されているときに前記入力整流器の前記ダイオードの少なくとも１つが故障した場合に電流を遮断するように設計されている、ＬＥＤランプを提案する。
【０００８】
本発明の他の実施例において、前記保護モジュールの各々は、ヒューズを有することができる。
【０００９】
本発明の他の実施例において、前記保護モジュールの各々は、電流ブレーカを有することができる。
【００１０】
本発明の他の実施例において、前記保護モジュールの各々は、再結線可能なヒューズ（ｒｅｗｉｒａｂｌｅ ｆｕｓｅ）を有することができる。
【００１１】
本発明の一実施例において、過電流に対する保護のための前記第２のモジュールの定格電流は、過電流に対する保護のための第１のモジュールの定格電流より低くても良い。
【００１２】
本発明の一実施例において、過電流に対する保護のための前記第２のモジュールの定格電流は、過電流からの保護のための第１のモジュールの定格電流より少なくとも２０％低いものであり得る。
【００１３】
本発明の他の実施例において、過電流に対する保護のための前記第２のモジュールの前記定格電流は、２００ｍＡと５００ｍＡとの間に含まれることができる。
【００１４】
本発明の一実施例において、過電流に対する保護のための前記第２のモジュールの定格電流は、２５０ｍＡと３００ｍＡとの間に含まれることができる。
【００１５】
本発明の例示的な実施例において、前記ＬＥＤランプは端部キャップを有しているＬＥＤ管であることができ、過電流に対する保護のための前記第２のモジュールが前記端部キャップ内に位置されている。
【００１６】
本発明の他の見地は、ドライバと、前記ドライバに電力に供給する、本線からのＡＣ電流をＤＣ電流に変換するように複数のダイオードを有する少なくとも１つの入力整流器とを有するＬＥＤランプのための安全モジュールであって、前記ＥＭバラストの過熱及び過電流に対する保護のための１つの第１のモジュール及び１つの第２のモジュールを有する安全モジュールにおいて、前記第１のモジュールは前記ドライバと直列に置かれると共に、前記ＬＥＤランプが前記本線に直接的に接続されているときに前記ドライバが故障した場合に電流を遮断するように設計されており、前記第２のモジュールは、前記ランプがＥＭバラストを介して前記本線に接続されているときに前記入力整流器の前記ダイオードのうちの少なくとも１つが故障した場合に電流を遮断するように設計されている、安全モジュールである。
【００１７】
本発明の他の見地は、ドライバと、本線からＡＣ電流をＤＣ電流に変換するための複数のダイオードを備える少なくとも１つの入力整流器とを有するＬＥＤランプを保護する方法であって、少なくとも前記ＥＭバラストの過熱及び過電流に対する保護のための１つの第１のモジュール及び１つの第２のモジュールを設けるステップを少なくとも有する方法において、前記第１のモジュールは、前記ドライバと直列に置かれていると共に、前記ＬＥＤランプが前記本線に直接的に接続されているときに前記ドライバが故障した場合に電流を遮断するように設計されており、前記第２のモジュールは、前記ランプがＥＭバラストを介して前記本線に接続されているときに前記入力整流器の前記ダイオードの少なくとも１つが故障した場合に電流を遮断するように設計されている、方法。
【００１８】
本発明のこれら及び他の特徴及び有利な点は、添付図面並びに例示的及び非限定的な例によって与えられている好ましい実施例に関する以下の詳細な記載を考慮することで明らかになるであろう。
【図面の簡単な説明】
【００１９】
【図１】ＥＭバラストと一緒に動作される典型的なＬＥＤ管を示している模式的な図である。
【図２Ａ】ＬＥＤドライバの典型的な入力整流器におけるダイオード故障状態を示している概略図である。
【図２Ｂ】ＬＥＤドライバの典型的な入力整流器におけるダイオード故障状態を示している概略図である。
【図３】ダイオードがショート故障をしている場合の、ＥＭバラストと一緒に動作される典型的なＬＥＤ管の等価なモデルを示している概略図である。
【図４】ダイオードがショート故障をしている場合の、ＥＭバラストと一緒に動作する典型的なＬＥＤ管の等価なＤＣモデルを示している概略図である。
【図５】様々な典型的なＥＭバラストのバラスト抵抗を示している図である。
【図６】典型的なヒューズの時間電流特性を示している図である。
【図７】第１の動作コンフィギュレーションにおける本発明の例示的な実施例による安全モジュールを備えるＬＥＤランプを示している通観的な概略図である。
【図８】第２の動作コンフィギュレーションにおける本発明の例示的な実施例による安全モジュールを備えるＬＥＤランプを示している通観的な概略図である。
【発明を実施するための形態】
【００２０】
以下の詳細な説明において、限定ではなく説明のために特定の詳細を開示している代表的な実施例が、本教示の完全な理解を提供するために記載される。しかしながら、本開示の利益を得た当業者にとって、本願明細書において開示される前記特定の詳細からの逸脱する本教示による他の実施例も、添付の特許請求の範囲内にあることが分かるであろう。更に、よく知られている装置及び方法の記載は、前記代表的な実施例の記載を不明確にしないように省略される。このような方法及び装置は、明らかに本教示の範囲内にある。
【００２１】
図１は、前記ＥＭバラストを迂回することなくＥＭ治具内のＬＥＤ管を動作させる既知の解決策を例示している概略図を示している。
【００２２】
図１に示されているように、ＬＥＤ管１０は、ＥＭバラスト１２と一緒に動作されることができる。ＥＭバラスト１２は、例えば、前記本線、即ち例えば交流２３０Ｖ電圧を供給されるように設計されている。ＥＭバラスト１２は、バラスト抵抗Ｒ＿ｂａｌｌａｓｔと直列のバラスト・インダクタＬ＿ｂａｌｌａｓｔとしてモデル化されることができる。
【００２３】
ＬＥＤ管１０は、示されている例示的な実施例におけるような１つのＬＥＤ光源又は一連のＬＥＤ光源１０３に電力を供給するドライバ１０１を有することができる。ＬＥＤ管１０は、更に、整流器、典型的には、示されている例示的な実施例におけるように４つのダイオードＤ１、Ｄ２、Ｄ３及びＤ４を有する全波整流器を有する。他の実施例において、前記整流器は、前記ドライバ内に組み込まれることができる。ＬＥＤ管１０は、前記整流器又はドライバ１０１と直列であると共に前記交流電圧に接続されている１つの第１のヒューズＦ１を更に有している。ＬＥＤ管１０は、更に、第２のヒューズＦ２を有する端部キャップ１０５を有する。
【００２４】
図１に示されているようなレトロフィットの解決策は、これにより前記ＥＭバラスト及び治具が元々は動作するように設計されている蛍光灯のグロースタートが、ダミー・スタータ１４と置き換えられることを必要とする。ダミー・スタータ１４は、典型的には、第３のヒューズＦ３を有している。
【００２５】
図２Ａ及び２Ｂは、ＬＥＤドライバの典型的な入力整流器内のダイオードの故障状態を説明する概略図面を示している。
【００２６】
ＬＥＤランプは、典型的には、必要とされる電流によって、少なくとも１つのＬＥＤ光源に給電することを意図しているＬＥＤドライバを有する。前記ＬＥＤドライバは、典型的には、入力整流器及びスイッチングモード電源を有する。前記入力整流器は、例えば、前記本線から到来する交流信号を供給される。通常の条件において、前記ＬＥＤランプ入力は対称である。
【００２７】
しかしながら、前記入力整流器の前記ダイオードの何れかが故障することが発生する場合、前記ＬＥＤランプの入力は非対称になり得る。ダイオードの故障は、結果として、ショート又はオープン回路をもたらし、これらの故障は、それぞれショート故障及びオープン故障と称される。図２Ａ及び２Ｂは、それぞれ１つのダイオードのショート故障の場合及び１つのダイオードのオープン故障の場合の４つのダイオードＤ１、Ｄ２、Ｄ３、Ｄ４を有する全波入力整流器の等価回路を示している。
【００２８】
図２Ａを参照すると、例えば、前記全波整流器の第１のダイオードＤ１のショート故障の場合、第１のダイオードＤ１を有する回路分岐は、実際にはショート回路として振る舞う。
【００２９】
ここで図２Ｂを参照すると、例えば、前記全波整流器の第１のダイオードＤ１のオープン故障の場合、第１のダイオードＤ１を有する回路分岐は、実際にはオープン回路として振る舞う。
【００３０】
ＥＭバラストは、典型的には前記本線からの交流信号を供給されると共に、蛍光灯を動作させるように元々設計されている。入力整流器が必要でないこのようなコンフィギュレーションにおいて、前記蛍光灯のダイオードの故障モードは、起こり得ない。
【００３１】
図３は、図２Ａを参照して本明細書で上述されたようなダイオードのショート故障の場合のＥＭバラスト１２によって動作する典型的なＬＥＤ管の等価なモデルを例示している概略図面を示している。
【００３２】
単純さのために、EＭバラスト１２は、図１を参照して上述されたものと類似のコンフィギュレーションの第１のヒューズＦ１及び入力整流器に接続されるものとして描かれ、前記入力整流器は、第１のダイオードＤ１の誤ったショートによるショート故障の状態にあるものとして描かれている。前記整流器の下流に接続されている全ての構成要素は、負荷３０として表されている。
【００３３】
前記ＥＭバラストは、バラスト抵抗器Ｒ＿ｂａｌｌａｓｔと直列のバラスト・インダクタＬ＿ｂａｌｌａｓｔとしてモデル化されることができる。前記ＥＭバラストは、典型的には本線周波数において、即ち典型的には５０及び６０Ｈｚ間にある前記本線信号の周波数において動作する。このような周波数範囲において、前記ＥＭバラスト・インピーダンスは、前記バラスト・インダクタＬ＿ｂａｌｌａｓｔのインダクタンスにより支配される。
【００３４】
このような故障のコンフィギュレーションにおいて、前記供給信号の正の半周期においては、上述の回路の等価モデルは、ＥＭバラスト１２、第1のヒューズＦ１、負荷３０及び交流電圧源が直列に置かれ、電流が上述で列挙されたものと同じ順序においてこれらの対応する構成要素を流れている、回路である。
【００３５】
前記供給信号の負の半周期において、上述の回路の等価モデルは、交流電圧源、ＥＭバラスト１２及び第１のヒューズＦ１が直列に置かれ、電流が上述で列挙されたものと同じ順序において、これらの対応する構成要素を流れている、回路である。
【００３６】
図４は、ダイオードショート故障の場合、ＥＭバラストと共に動作する典型的なＬＥＤ管の等価なＤＣモデルを例示している模式図を示している。
【００３７】
何れにせよ、前記入力整流器の如何なるダイオードの故障も前記信号の対称性につながり、この結果、図４に示したように等価なＤＣモデルによって、前記回路内に蓄積するＤＣ電流をもたらす、ＤＣ動作において、ＥＭバラスト１２はバラスト抵抗Ｒ＿ｂａｌｌａｓｔに等しい。ＤＣ電流の振幅は、バラスト抵抗Ｒ＿ｂａｌｌａｓｔにより測定される。
【００３８】
図５は、様々な典型的なＥＭバラストのバラスト抵抗を例示している図を示している。図５の図において、横軸は任意に異なるＥＭバラストに対応する一方で、縦軸は対応する抵抗値を表している。
【００３９】
これらのそれぞれの対応するエネルギー効率のクラスに依存して、前記ＥＭバラストは、異なる内部抵抗値であって、典型的には２０Ωから１５０Ωに及ぶ抵抗値を有する。
低い抵抗ＥＭバラスト、即ち典型的には４０Ωまでの抵抗値を有するＥＭバラストは、所謂Ｂ１又はＢ２型に帰属するように共通に指定され、高い抵抗ＥＭバラストは、所謂Ｃ又はＤ型に帰属するように共通に指定される。
【００４０】
より高いバラスト抵抗は、結果としてより低い直流オフセットをもたらし、従って、対応するバラストは、第１のヒューズＦ１をより起動させにくい。
【００４１】
要約すると、前記入力整流器の１つのダイオードが故障した場合、前記ランプ入力電流は通常の動作電流よりも著しく高く増加し、従って前記ＥＭバラストの飽和を生じ、従って、このインピーダンスを低下させる。このような故障条件は、前記ＥＭバラストを通る増大された二乗平均平方根（ＲＭＳ）電流をもたらす。このような条件において、前記ランプのヒューズ（即ち示されている例示的な実施例における第１のヒューズＦ１）が前記故障電流を遮断するために飛ぶ。
【００４２】
しかしながら、上述したように前記故障電流が前記ＥＭバラストの前記抵抗により制限される事実のため、第１のヒューズＦ１が飛ばない場合、前記ＥＭバラストは前記故障電流により過熱される。
【００４３】
図６は、横軸が故障電流と定格電流との間の比Ｉｆａｕｌｔ／Ｉｒａｔｅｄを表しており縦軸が時間を表している図において、表されている最小及び最大の限界曲線によって、典型的なヒューズの時間電流特性を示している。図6により示されるように、典型的なヒューズに関して、前記故障電流は許容可能な時間において、ヒューズを起動させるために前記定格電流よりも少なくとも２倍大きくあるべきである。
【００４４】
ヒューズＦ１が飛ぶか否かを決定する第３の主な要因は、ＥＭバラストの抵抗Ｒ＿ｂａｌｌａｓｔ、前記ＥＭバラストの飽和電流及び入力電圧（例えば本線電圧）であり、バラスト抵抗Ｒ＿ｂａｌｌａｓｔが高いほど、ＥＭバラストの飽和電流が高いほど又は前記入力電圧が低いほど、第１のヒューズＦ１は飛びにくい。
【００４５】
図7は、第１の動作上のコンフィギュレーションにおける本発明の例示的な実施例による安全モジュールを備えるＬＥＤランプを説明している通観的な模式図を示している。
【００４６】
ＬＥＤランプは、例えば、後続する本発明の実施例のＴＬＥＤは、必要な駆動電流によって少なくとも１つのＬＥＤ光源１０３に給電するためのドライバ１０１を有することができる。
【００４７】
ＴＬＥＤ１０は、更に、例えば、それぞれ、第１のヒューズＦ１及び第２のヒューズＦ２により形成される過電流からの保護のための２つのモジュールを有する安全モジュールを有する。
【００４８】
より詳細には、第１のヒューズＦ１は、ドライバ１０１と直列に置かれると共に、ＴＬＥＤ１０が前記本線に直接的に接続されているときにドライバ１０１が故障した場合に電流を遮断するように設計されており、又は、例えば、ドライバ１０１の構成要素又は前記ＬＥＤのうちの１つの故障により、ドライバ１０１の入力電流が高すぎるようになった場合に電流を遮断するように設計されている。図８を参照して以下に記載されるように、入力整流器（図7には示されていない）に含まれている前記ダイオードのうちの少なくとも一方が故障する場合、第２のヒューズＦ２は電流を遮断するように設計されている。
【００４９】
第２のヒューズＦ２は、ＴＬＥＤ１０の端部キャップと同じレベルに位置されることができる。図７に示されているセットアップ・コンフィギュレーションにおいて、第２のヒューズＦ２は、特定の役割を有していない。
【００５０】
図７によって示されている典型的なセットアップ・コンフィギュレーションにおいて、ＴＬＥＤ１０は、この両端の一方における前記本線に直接的に接続されており、他方の端部は前記ＴＬＥＤの端部キャップと同じレベルにあり、使用されていない開放端部である。このようなコンフィギュレーションにおいて、ＴＬＥＤ１０は、低いインピーダンス電圧源に接続されており、インピーダンス電圧源は示されている例示的な実施例の本線電圧であり、第１のヒューズＦ１は、故障条件において飛ぶ。
【００５１】
第１のヒューズＦ１の定格電流は、本線サージのために又は高速スイッチングによる他の一時的な過電圧のために第１のヒューズＦ１の早期の故障がないことを保証するように選択されることができる。
【００５２】
図８は、第２の動作上のコンフィギュレーションにおいて、本発明の例示的な実施例による安全モジュールを備えるＬＥＤランプを説明している通観的な概略図を示している。
【００５３】
図８により示されている例示的な実施例におけるように、ＴＬＥＤ１０は、代替的な動作上のコンフィギュレーションにおいてセットアップされており、ＴＬＥＤ１０は、図１を参照して上述されたものと類似のコンフィギュレーションにおいて、ＥＭバラスト１２を有するＥＭ治具内に置き換えられている。ＥＭバラスト１２は、前記本線入力と、前記端部キャップと同じレベルにある前記ＴＬＥＤの一方の端部における第１のピンとに接続されることができる。前記端部キャップの第２のピンは、前記第２のヒューズＦ２を介して第１のピンに接続されていると共に、第３のヒューズＦ３を有するダミー・スタータ１４を介してＴＬＥＤ１０のピンに接続されることができる。
【００５４】
第２のヒューズＦ２は、前記入力整流器（図8には示されていない）に含まれている前記ダイオードの少なくとも１つが故障した場合に電流を遮断するように設計されている。第２のヒューズＦ２は、第１のヒューズＦ１のものよりも低く選択された定格電流によって、ダイオード故障条件において飛び易いように設計されている。
【００５５】
第２のヒューズＦ２の定格電流は、第１のヒューズＦ１の定格電流より少なくとも２０％低い。
【００５６】
前記ＬＥＤ管のダミー端部に位置されている第２のヒューズＦ２に対して小さい定格電流を設けることは、前記ＬＥＤ管が安全にＥＭバラスト上で動作することを可能にする一方で、依然として、ＥＭバラストを有することなく、本線電圧上で直接的に確実に動作可能であるようにする。
【００５７】
４フィート（１２0ｃｍ）の長いＴＬＥＤ１０の実際的な例において、ヒューズＦ１は、約５００ｍＡから１Ａにおいて定格化され、第２のヒューズＦ２は、２００ｍＡ乃至５００ｍＡ、好ましくは２５０ｍＡ乃至３００ｍＡにおいて定格化される。出願人により様々なＥＭバラストで試験されたように、約２５０ｍＡにおいて定格化されている第２のヒューズＦ２は、殆どの場合に飛ぶことができ、従って、ＥＭバラストを過熱するリスクを軽減する。
【００５８】
本発明は、添付図面及び上述の記載において、詳細に説明され記載されたが、当業者であれば、このような図面及び記載が、限定的ではなく説明的又は例示的なものであると考えられるべきであることは、明らかである。本発明は、開示されている実施例に限定されるものではない。幾つかの変形及び変更は、添付の請求項に規定されている本発明の保護範囲内で可能である。
【００５９】
例えば、上述された例示的な実施例はヒューズを有しているが、過電流に対する保護のための他の如何なる種類の手段もヒューズの代わりに使用されることができ、このような手段は、特に電流ブレーカ（再結線可能なヒューズ）も有する。
【００６０】
前記例示的な実施例はＴＬＥＤに適用されるが、本発明は、直線状の蛍光ＴＬ管や円形管に対するレトロフィットの解決策、及び頭字語「ＣＦＬ」によって共通に称される小型蛍光ランプのための置換えの解決策のような、全ての種類のＬＥＤレトロフィット・ランプに適用されることもできる。
【００６１】
本明細書において規定されて使用されている全ての定義は、辞書の定義、参照として組み込んだ文書における定義及び／又は規定された語の通常の意味を調節するものと理解されなければならない。
【００６２】
開示された実施例に対する他の変化は、添付図面、本明細書及び添付請求項の熟慮により、添付請求項に記載の本発明を実施する際に当業者により理解され、行われることができる。添付の請求項において、「有する」なる語は他の要素又はステップを排除するものではなく、単数形は複数形を排除するものではない。特定の手段が、相互に異なる従属請求項において、引用されているという単なる事実は、これらの手段の組み合わせが有利になるように使用されることができないと示すものではない。前記請求項における如何なる符号も、特許請求の範囲を制限するように解釈されてはならない。
【図１】
2016526248.tif 000003
【図２Ａ】
2016526248.tif 000004
【図２Ｂ】
2016526248.tif 000005
【図３】
2016526248.tif 000006
【図４】
2016526248.tif 000007
【図５】
2016526248.tif 000008
【図６】
2016526248.tif 000009
【図７】
2016526248.tif 000010
【図８】
2016526248.tif 000011
【国際調査報告】
2016526248.tif 000012
2016526248.tif 000013
2016526248.tif 000014